【手続補正書】
【提出日】平成22年5月18日(2010.5.18)
【手続補正１】
【補正対象書類名】特許請求の範囲
【補正対象項目名】全文
【補正方法】変更
【補正の内容】
【特許請求の範囲】
【請求項１】
色調整データを使用した色調整処理を経て被写体像の映像信号を生成するビデオスコープと接続され、該ビデオスコープから送信される該生成された映像信号を受信する電子内視鏡用プロセッサであって、
前記被写体を照明するための照明光を放射する光源と、
前記ビデオスコープにより使用されている前記色調整データが前記光源に適しているか否かを判定する判定手段と、
前記色調整データが前記光源に適していないと前記判定手段が判定したときに、前記色調整データに適した色変換データを取得する色変換データ取得手段と、
前記色変換データ取得手段により取得された前記色変換データを使用して、前記ビデオスコープによって送信された前記映像信号に対する色変換処理を行う色変換手段と
を備えた電子内視鏡用プロセッサ。
【請求項２】
複数種類の前記色変換データを記憶する色変換データ記憶手段を更に備え、
前記色変換データ取得手段は、前記色変換データ記憶手段に記憶された前記複数種類の色変換データから、前記色調整データに適した前記色変換データを選択して取得することを特徴とする請求項１に記載の電子内視鏡用プロセッサ。
【請求項３】
前記ビデオスコープが前記色調整処理において使用するための第２の色調整データを記憶する色調整データ記憶手段と、
前記色調整データ記憶手段に記憶された前記第２の色調整データを前記ビデオスコープに送信する色調整データ送信手段と
を更に備えたことを特徴とする請求項１又は２のいずれか一項に記載の電子内視鏡用プロセッサ。
【請求項４】
前記ビデオスコープによって送信された前記映像信号は、輝度信号及び少なくとも２つの色差信号を含む信号形式を有し、
前記色変換データは、前記映像信号を該映像信号と同じ信号形式を有する映像信号に変換するためのマトリックスデータである
ことを特徴とする請求項１から３のいずれか一項に記載の電子内視鏡用プロセッサ。
【請求項５】
前記色変換データは、ＲＧＢ信号をＲＧＢ信号へ変換するマトリックスデータである
ことを特徴とする請求項１から３のいずれか一項に記載の電子内視鏡用プロセッサ。
【請求項６】
前記色変換データは３×３マトリックスデータである
ことを特徴とする請求項１から５のいずれか一項に記載の電子内視鏡用プロセッサ。
【請求項７】
前記色変換データは、
前記ビデオスコープから送信された前記映像信号を、標準光で照明された前記被写体を肉眼で観察したときに得られる色調をもつ映像信号に変換するように構成されている
ことを特徴とする請求項１から６のいずれか一項に記載の電子内視鏡用プロセッサ。
【請求項８】
電子内視鏡用プロセッサと接続され、該プロセッサの光源が放射する照明光で被写体を照明するビデオスコープであって、
前記照明光による照明下で形成される前記被写体像のカラー画像信号を生成する撮像素子と、
前記プロセッサの光源に適した色調整データを取得する色調整データ取得手段と、
前記色調整データ取得手段によって取得された前記色調整データを記憶する色調整データ記憶手段と、
前記撮像素子によって生成された前記カラー画像信号から、前記色調整データ記憶手段に記憶された前記色調整データを使用した色調整処理を経て、映像信号を生成する色調整手段と
を備えたビデオスコープ。
【請求項９】
前記色調整データ記憶手段は複数種類の前記色調整データを書き換え可能に記憶する
ことを特徴とする請求項８に記載のビデオスコープ。
【請求項１０】
前記光源の種類を識別する光源識別手段と、
前記光源識別手段により識別された前記光源の種類に基づいて、前記色調整データ記憶手段に記憶された前記複数種類の色調整データから前記光源に適した前記色調整データを選択する色調整データ選択手段と
を更に備え、
前記色調整手段は、前記色調整データ選択手段により選択された前記色調整データを使用した前記色調整処理を経て、前記映像信号を生成する
ことを特徴とする請求項９に記載のビデオスコープ。
【請求項１１】
前記光源識別手段は、前記光源に関する情報を前記プロセッサから受け取り、該受け取った情報に基づいて前記光源の種類を識別する
ことを特徴とする請求項１０に記載のビデオスコープ。
【請求項１２】
前記照明光のスペクトル特性を測定するスペクトル測定手段を更に備え、
前記光源識別手段は、前記スペクトル測定手段によって測定された前記スペクトル特性に基づいて前記光源の種類を識別する、
ことを特徴とする請求項１０又は１１のいずれか一項に記載のビデオスコープ。
【請求項１３】
前記色調整手段が使用している前記色調整データに関する情報を前記プロセッサへ送信する色調整データ情報送信手段を更に備える
ことを特徴とする請求項８から１２のいずれか一項に記載のビデオスコープ。
【請求項１４】
電子内視鏡用プロセッサ及び該プロセッサと接続されたビデオスコープを備えた電子内視鏡装置であって、
前記ビデオスコープは、色調整データを使用した色調整処理を経て被写体像の映像信号を生成し、前記生成された映像信号を前記プロセッサへ送信するように構成されており、
前記プロセッサは、
前記被写体を照明するための照明光を放射する光源と、
前記ビデオスコープにより使用されている前記色調整データが前記光源に適しているか否かを判定する判定手段と、
前記色調整データが前記光源に適していないと前記判定手段が判定したときに、前記色調整データに適した色変換データを取得する色変換データ取得手段と、
前記色変換データ取得手段により取得された前記色変換データに基づいて、前記ビデオスコープにより送信された前記映像信号に対して色変換処理を行う色変換手段と
を備えている
ことを特徴とする電子内視鏡装置。
【請求項１５】
前記プロセッサは、複数種類の色変換データを記憶する色変換データ記憶手段を更に備え、
前記色変換データ取得手段は、前記色変換データ記憶手段に記憶された前記複数種類の色変換データから前記色調整データに適した前記色変換データを選択して取得する
ことを特徴とする請求項１４に記載の電子内視鏡装置。
【請求項１６】
前記プロセッサは、
前記ビデオスコープが前記色調整処理において使用するための第２の色調整データを記憶する色調整データ記憶手段と、
前記色調整データ記憶手段に記憶された前記第２の色調整データを前記ビデオスコープへ送信する色調整データ送信手段と
を更に備える
ことを特徴とする請求項１４又は１５のいずれか一項に記載の電子内視鏡装置。
【請求項１７】
前記ビデオスコープが送信する前記映像信号は、輝度信号と少なくとも２つの色差信号を含む信号形式を有し、
前記色変換データは、前記映像信号を該映像信号と同じ信号形式を有する映像信号へ変換するためのマトリックスデータである
ことを特徴とする請求項１４から１６のいずれか一項に記載の電子内視鏡装置。
【請求項１８】
前記色変換データは、ＲＧＢ信号をＲＧＢ信号へ変換するためのマトリックスデータであることを特徴とする請求項１４から１６のいずれか一項に記載の電子内視鏡装置。
【請求項１９】
前記色変換データは、３×３マトリックスデータであることを特徴とする請求項１４から１８のいずれか一項に記載の電子内視鏡装置。
【請求項２０】
前記色変換データは、前記ビデオスコープから送信された前記映像信号を、標準光で照明された前記被写体を肉眼で観察したときに得られる色調をもつ映像信号へ変換するためのデータであることを特徴とする請求項１４から１９のいずれか一項に記載の電子内視鏡装置。
【請求項２１】
電子内視鏡用プロセッサと、該プロセッサと接続されたビデオスコープを備え、該ビデオスコープが該プロセッサの光源が放射する照明光で被写体を照明する電子内視鏡装置であって、
前記ビデオスコープは、
前記照明光での照明下で形成される前記被写体像のカラー画像信号を生成する撮像素子と、
前記光源に適した色調整データを前記プロセッサから取得する色調整データ取得手段と、
前記色調整データ取得手段によって取得された前記色調整データを記憶する色調整データ記憶手段と、
前記撮像素子によって生成された前記カラー画像信号から、前記色調整データ記憶手段に記憶された前記色調整データを使用した色調整処理を経て、映像信号を生成する色調整手段と
を備えることを特徴とする電子内視鏡装置。
【請求項２２】
前記色調整データ記憶手段は、複数種類の前記色調整データを書き換え可能に記憶する
ことを特徴とする請求項２１に記載の電子内視鏡装置。
【請求項２３】
前記ビデオスコープは、
前記光源の種類を識別する光源識別手段と、
前記光源識別手段により識別された前記光源の種類に基づいて、前記色調整データ記憶手段に記憶された前記複数種類の色調整データから前記光源に適した前記色調整データを選択する色調整データ選択手段と、
を更に備え、
前記色調整手段は、前記色調整データ選択手段により選択された前記色調整データを使用した前記色調整処理を経て、前記映像信号を生成する
ことを特徴とする請求項２２に記載の電子内視鏡装置。
【請求項２４】
前記光源識別手段は、前記光源に関する情報を前記プロセッサから受け取り、該受け取った情報に基づいて前記光源の種類を識別することを特徴とする請求項２３に記載の電子内視鏡装置。
【請求項２５】
前記ビデオスコープは、前記照明光のスペクトル特性を測定するスペクトル測定手段を更に備え、
前記光源識別手段は、前記スペクトル測定手段によって測定された前記スペクトル特性に基づいて前記光源の種類を識別する
ことを特徴とする請求項２３又は２４のいずれか一項に記載の電子内視鏡装置。
【請求項２６】
前記ビデオスコープは、前記色調整手段が使用している前記色調整データに関する情報を前記プロセッサへ送信する色調整データ情報送信手段を更に備える
ことを特徴とする請求項２１から２５のいずれか一項に記載の電子内視鏡装置。
【請求項２７】
電子内視鏡用プロセッサ及び該プロセッサと接続されたビデオスコープを備えた電子内視鏡装置であって、
前記ビデオスコープは、色調整データを使用した色調整処理を経て被写体像の映像信号を生成し、前記生成された映像信号を前記プロセッサへ送信するように構成されており、
前記プロセッサは、
前記被写体を照明する照明光を放射する光源と、
前記ビデオスコープにより使用されている前記色調整データが前記光源に適しているか否かを判定する判定手段と、
前記色調整データが前記光源に適していないと前記判定手段が判定したときに、前記色調整データに適した色変換データを取得する色変換データ取得手段と、
前記色変換データ取得手段により取得された前記色変換データに基づいて、前記ビデオスコープにより送信された前記映像信号に対して色変換処理を実行する色変換手段と、
を備え、
前記ビデオスコープは、
前記照明光での照明下で形成される前記被写体像のカラー画像信号を生成する撮像素子と、
前記光源に適した色調整データを取得する色調整データ取得手段と、
前記色調整データ取得手段によって取得された前記色調整データを記憶する色調整データ記憶手段と、
前記撮像素子によって生成された前記カラー画像信号から、前記色調整データ記憶手段に記憶された前記色調整データを使用した色調整処理を経て、映像信号を生成する色調整手段と
を備えることを特徴とする電子内視鏡装置。
【手続補正２】
【補正対象書類名】明細書
【補正対象項目名】０００８
【補正方法】変更
【補正の内容】
【０００８】
本発明により、色調整データを使用した色調整処理を経て被写体像の映像信号を生成するビデオスコープと接続され、ビデオスコープから送信される生成された映像信号を受信する電子内視鏡用プロセッサが提供される。本発明の実施形態に係る電子内視鏡用プロセッサは、被写体を照明するための照明光を放射する光源と、ビデオスコープにより使用されている色調整データが光源に適しているか否かを判定する判定手段と、色調整データが光源に適していないと判定手段が判定したときに、色調整データに適した色変換データを取得する色変換データ取得手段と、色変換データ取得手段により取得された色変換データを使用して、ビデオスコープによって送信された映像信号に対する色変換処理を行う色変換手段とを備えている。色変換データは、
例えばビデオスコープから送信された映像信号を、標準光で照明された被写体を肉眼で観察したときに得られる色調をもつ映像信号に変換するように構成されている。この構成により、プロセッサに内蔵された光源ランプに対応した色調整データをビデオスコープが保持しておらず、ビデオスコープ側で不適切な色調整が行なわれてしまうような場合であっても、プロセッサ内で映像信号に対して色変換処理を行うことにより、適切な色調の映像をモニタに表示させる映像信号を得ることができる。
【手続補正３】
【補正対象書類名】明細書
【補正対象項目名】０００９
【補正方法】変更
【補正の内容】
【０００９】
また、本発明の実施形態に係る電子内視鏡用プロセッサは、複数種類の色変換データを記憶する色変換データ記憶手段を更に備えていることが望ましい。色変換データ取得手段は、色変換データ記憶手段に記憶された複数種類の色変換データから、色調整データに適した色変換データを選択して取得する。この構成により、多種多様なビデオスコープに対応する色変換データを保持することができ、汎用性の高いプロセッサが実現される。
【手続補正４】
【補正対象書類名】明細書
【補正対象項目名】００１０
【補正方法】変更
【補正の内容】
【００１０】
また、本発明の実施形態に係る電子内視鏡用プロセッサは、ビデオスコープが色調整処理において使用するための第２の色調整データを記憶する色調整データ記憶手段と、色調整データ記憶手段に記憶された第２の色調整データをビデオスコープに送信する色調整データ送信手段とを更に備えていてもよい。この構成により、プロセッサで使用される光源ランプに適合した色調整データを保持していないビデオスコープに対して、適切な色調整データを提供することが可能になる。
【手続補正５】
【補正対象書類名】明細書
【補正対象項目名】００１２
【補正方法】変更
【補正の内容】
【００１２】
本発明により、電子内視鏡用プロセッサと接続され、プロセッサの光源が放射する照明光で被写体を照明するビデオスコープが提供される。本発明の実施形態に係る電子内視鏡装置用ビデオスコープは、照明光による照明下で形成される被写体像のカラー画像信号を生成する撮像素子と、プロセッサの光源に適した色調整データを取得する色調整データ取得手段と、色調整データ取得手段によって取得された色調整データを記憶する色調整データ記憶手段と、撮像素子によって生成されたカラー画像信号から、色調整データ記憶手段に記憶された色調整データを使用した色調整処理を経て、映像信号を生成する色調整手段とを備えている。また、色調整データ記憶手段は複数種類の色調整データを書き換え可能に記憶することが好ましい。
【手続補正６】
【補正対象書類名】明細書
【補正対象項目名】００１４
【補正方法】変更
【補正の内容】
【００１４】
また、光源の種類を識別する光源識別手段と、光源識別手段により識別された光源の種類に基づいて、色調整データ記憶手段に記憶された複数種類の色調整データから光源に適した色調整データを選択する色調整データ選択手段とを更に備えていてもよい。色調整手段は、色調整データ選択手段により選択された色調整データを使用した色調整処理を経て、映像信号を生成する。
【手続補正７】
【補正対象書類名】明細書
【補正対象項目名】００１６
【補正方法】変更
【補正の内容】
【００１６】
また、照明光のスペクトル特性を測定するスペクトル測定手段を更に備えていてもよい。光源識別手段は、スペクトル測定手段によって測定されたスペクトル特性に基づいて光源の種類を識別するよう構成されていてもよい。このような構成によれば、プロセッサとの通信によって光源ランプの特性に関する情報を取得する必要が無く、プロセッサ側に特別な構成を設けなくても、使用される光源ランプに適した色調整データを選択して使用することが可能になり、より利便性の優れたビデオスコープが実現される。
【手続補正８】
【補正対象書類名】明細書
【補正対象項目名】００１７
【補正方法】変更
【補正の内容】
【００１７】
更に、上記ビデオスコープは、色調整手段が使用している色調整データに関する情報を前記プロセッサへ送信する色調整データ情報送信手段を更に備えていてもよい。この構成により、ビデオスコープにおいて行なわれる色調整処理が適切か否かをプロセッサが判断することが可能になる。また、色調整処理が不適切である場合に、プロセッサがビデオスコープから受け取った色調整データに関する情報に基づいて、ビデオスコープから送られる映像信号を適切な色調に直す色変換処理を適切に行うことが可能になる。また、通知に基づいてビデオスコープが使用される光源ランプに適合した色調整データを保持しているか否かを判定することができるため、通知に基づいて適切な色調整データを保持していないと判定されたときに、プロセッサがビデオスコープに適切な色調整データを送るような構成も可能になる。
また、本発明により、上記のビデオスコープと電子内視鏡用プロセッサを備えた電子内視鏡装置が提供される。
【手続補正９】
【補正対象書類名】明細書
【補正対象項目名】００５１
【補正方法】変更
【補正の内容】
【００５１】
このように、本実施形態によれば、ビデオスコープ５０が接続される際に、プロセッサ１０がビデオスコープ５０で使用される色調整データを認識し、保有する色変換データの中から使用される色調整データに適合する色変換データを選択し、選択された色変換データを使用してビデオスコープ５０で撮影された映像信号に対して色変換を行う。これにより、ビデオスコープ５０によって行われる色調整処理が使用される光源に適合したものでなくても、常に標準光を用いて直接観察した場合と同じ色合いの映像がモニタ３２に表示されることになり、色再現性が向上する。また、プロセッサ１０側でビデオスコープ５０の仕様や処理に応じた色変換処理を行う構成とすることにより、既存のビデオスコープ５０を有効に活用することができる。
【手続補正１０】
【補正対象書類名】図面
【補正対象項目名】図５
【補正方法】変更
【補正の内容】
【図５】
2009247758.tif 000001